(57)【要約】  分散アンテナシステム（ＤＡＳ）においてデータをトランスポートするためのシステムが、少なくとも１つのデジタル・アクセス・ユニット（ＤＡＵ）と、その少なくとも１つのＤＡＵに結合されている複数のデジタル・リモート・ユニット（ＤＲＵ）とを含む。複数のＤＲＵは、それらの複数のＤＲＵと、少なくとも１つのＤＡＵとの間において信号をトランスポートするように動作することができる。少なくとも１つのＤＡＵは、フレーマ、エンコーダ、スクランブラ、およびシリアライザを含むデータ・トランスポート・コーダと、デシリアライザ、デコーダ、デスクランブラ、フレームシンクロナイザ、およびデフレーマを含むデータ・トランスポート・デコーダとを含む。
2017504257.tif 000002
【特許請求の範囲】
【請求項１】
分散アンテナシステムにおいてデータをトランスポートするためのシステムであって、
少なくとも１つのデジタル・アクセス・ユニット（ＤＡＵ）と、
前記少なくとも１つのＤＡＵに結合される複数のデジタル・リモート・ユニット（ＤＲＵ）であり、前記複数のＤＲＵと、前記少なくとも１つのＤＡＵとの間において信号をトランスポートするように動作することができる複数のＤＲＵとを含み、
前記少なくとも１つのＤＡＵが、
フレーマ、エンコーダ、スクランブラ、およびシリアライザを含むデータ・トランスポート・コーダと、
デシリアライザ、デコーダ、デスクランブラ、フレームシンクロナイザ、およびデフレーマを含むデータ・トランスポート・デコーダとを含む、システム。
【請求項２】
前記少なくとも１つのＤＡＵが、イーサネット（登録商標）ケーブル、光ファイバ、マイクロウェーブ・ライン・オブ・サイト・リンク、ワイヤレスリンク、または衛星リンクのうちの少なくとも１つを介して前記複数のＤＲＵに結合されている、請求項１に記載のシステム。
【請求項３】
前記複数のＤＲＵが、デイジーチェーン構成で接続されている、請求項１に記載のシステム。
【請求項４】
前記複数のＤＲＵが、スター構成で前記少なくとも１つのＤＡＵに接続されている、請求項１に記載のシステム。
【請求項５】
前記少なくとも１つのＤＡＵのポートが、ベース・トランシーバ・ステーションに操作可能に接続される、請求項１に記載のシステム。
【請求項６】
分散アンテナシステムにおいてデータをトランスポートするためのシステムであって、
複数のデジタル・アクセス・ユニット（ＤＡＵ）であり、前記複数のＤＡＵ同士の間において信号を転送するように結合されて動作することができる複数のＤＡＵと、
前記複数のＤＡＵに結合されている複数のデジタル・リモート・ユニット（ＤＲＵ）であり、前記複数のＤＲＵと、前記複数のＤＡＵとの間において信号をトランスポートするように動作することができる複数のＤＲＵとを含み、
前記複数のＤＲＵのそれぞれが、
フレーマ、エンコーダ、スクランブラ、およびシリアライザを含むデータ・トランスポート・コーダと、
デシリアライザ、デコーダ、デスクランブラ、フレームシンクロナイザ、およびデフレーマを含むデータ・トランスポート・デコーダと、
スケジューラ／ディスパッチャとを含む、システム。
【請求項７】
複数のベース・トランシーバ・ステーション（ＢＴＳ）をさらに含む、請求項６に記載のシステム。
【請求項８】
前記データ・トランスポート・コーダおよびデータ・トランスポート・デコーダの１つまたは複数の要素が、ＦＰＧＡにおいて実装されている、請求項６に記載のシステム。
【請求項９】
ペイロードＩ＆ＱデータおよびＩＰデータが両方とも、前記データ・トランスポート・コーダおよびデータ・トランスポート・デコーダによって処理される、請求項６に記載のシステム。
【請求項１０】
シリアライズされたデータを提供する方法であって、
ペイロードＩ＆Ｑデータを受信するステップと、
ＩＰデータを受信するステップと、
前記ペイロードＩ＆Ｑデータおよび前記ＩＰデータをフレーム化するステップと、
前記フレームをエンコードするステップと、
前記エンコードされたフレームをスクランブルして、スクランブルされたデータを提供するステップと、
前記スクランブルされたデータをシリアライズするステップとを含む方法。
【請求項１１】
前記シリアライズされたデータを受信するステップと、
前記シリアライズされたデータをデシリアライズするステップと、
前記デシリアライズされたデータをデスクランブルするステップと、
前記デスクランブルされたデータを同期化するステップと、
前記デスクランブルされたデータをデコードするステップと、
前記デコードされたデータを脱フレーム化するステップと、
前記ペイロードＩ＆Ｑデータおよび前記ＩＰデータを提供するステップと
をさらに含む、請求項１０に記載の方法。
【請求項１２】
前記ペイロードＩ＆Ｑデータが、ＲＦセルラートラフィックに関連付けられている、請求項１０に記載の方法。
【請求項１３】
前記ＩＰデータが、前記ペイロードＩ＆Ｑデータから独立している、請求項１０に記載の方法。
【請求項１４】
ＲＦデータおよびＩＰデータを伝送する方法であって、
デジタル・アクセス・ユニット（ＤＡＵ）のＲＦポートにおいて前記ＲＦデータを受信するステップと、
前記ＤＡＵのイーサネット（登録商標）ポートにおいて前記ＩＰデータを受信するステップと、
前記ＲＦデータを処理して、デジタルペイロードＩ＆Ｑデータを提供するステップと、
前記デジタルペイロードＩ＆Ｑデータおよび前記ＩＰデータをフレーム化して、フレーム化されたデータを提供するステップと、
前記フレーム化されたデータをエンコードするステップと、
前記エンコードされたデータをスクランブルするステップと、
前記スクランブルされたデータをシリアライズするステップと、
前記シリアライズされたデータを、光ファイバを通じてデジタル・リモート・ユニット（ＤＲＵ）へ伝送するステップと、
前記シリアライズされたデータをデシリアライズするステップと、
前記デシリアライズされたデータをデスクランブルするステップと、
前記デスクランブルされたデータに関するフレーム同期を抽出するステップと、
前記デスクランブルされたデータをデコードするステップと、
前記デコードされたデータを変換して、前記ＲＦデータおよび前記ＩＰデータの表示を提供するステップと、
前記ＲＦデータおよび前記ＩＰデータの前記表示を増幅するステップと、
前記増幅されたＲＦデータおよびＩＰデータを、前記ＤＲＵに関連付けられているアンテナから伝送するステップとを含む方法。
【請求項１５】
前記ＲＦデータがアナログＲＦデータを含む、請求項１４に記載の方法。
【請求項１６】
前記ＲＦデータがセルラーデータを含む、請求項１４に記載の方法。
【請求項１７】
前記ペイロードＩ＆Ｑデータおよび前記ＩＰデータが、前記フレーム化されたデータの別々の要素としてフレーム化される、請求項１４に記載の方法。
【請求項１８】
前記デコードされたデータを変換するステップが、デジタルからアナログへの変換プロセスを含む、請求項１４に記載の方法。
【発明の詳細な説明】
【技術分野】
【０００１】
関連出願の相互参照
[0001]本出願は、２０１３年１２月１９日に出願された「Ｄｉｇｉｔａｌ  Ｔｒａｎｓｐｏｒｔ  ｏｆ  Ｄａｔａ  Ｏｖｅｒ  Ｄｉｓｔｒｉｂｕｔｅｄ  Ａｎｔｅｎｎａ  Ｎｅｔｗｏｒｋｓ」という名称の米国特許仮出願第６１／９１８，３８６号に対する優先権を主張するものであり、その開示は、すべての目的からその全体が参照によって本明細書に組み込まれている。
【背景技術】
【０００２】
[0002]ワイヤレス・ネットワーク・オペレータおよびモバイル・ネットワーク・オペレータは、高いデータトラフィック成長率を効果的に管理するネットワークを構築するという継続的な課題に直面している。エンドユーザのためのモビリティーおよび高まるレベルのマルチメディアコンテンツは、新たなサービスと、ブロードバンドおよび定額のインターネットアクセスに対する高まる需要との両方をサポートするエンドツーエンドのネットワーク適合を必要とする。ネットワークオペレータが直面する最も困難な課題のうちの１つは、１つのロケーションから別のロケーションへのサブスクライバの物理的な移動によって、そして特に１つのロケーションにおいてワイヤレスサブスクライバが多数集まるときに引き起こされる。顕著な例は、ランチタイム中の企業施設であり、多数のワイヤレスサブスクライバが建物内のカフェテリアのロケーションを訪れるときである。そのときには、多数のサブスクライバが、自分のオフィスおよび通常の勤務エリアから離れている。ランチタイム中には、非常にわずかなサブスクライバしかいない多くのロケーションが施設の全体にわたって存在する可能性が高い。サブスクライバたちが自分の通常の勤務エリア内にいる通常の勤務時間中のサブスクライバローディングに関する設計プロセスにおいて、屋内のワイヤレス・ネットワーク・リソースが厳密にサイズ設定されていた場合には、ランチタイムのシナリオは、利用可能なワイヤレスキャパシティおよびデータスループットに関するいくつかの予期せぬ課題を提示することになる可能性が非常に高い。
【発明の概要】
【発明が解決しようとする課題】
【０００３】
[0003]これらの問題に対処するために、分散アンテナシステム（ＤＡＳ）が開発され、展開されている。ＤＡＳにおいてなされている進歩にもかかわらず、当技術分野においては、ＤＡＳに関連した改良された方法およびシステムが必要とされている。
【課題を解決するための手段】
【０００４】
[0004]本発明は一般に、複雑な変調技術を使用する通信システムに関する。より特別には、本発明は、マイクロプロセッサまたはその他のデジタルコンポーネント、例えば、フィールド・プログラマブル・ゲート・アレイ（ＦＰＧＡ）または特定用途向け集積回路（ＡＳＩＣ）を含む分散アンテナシステムに関する。分散アンテナシステムにおけるタイミング同期は、ネットワーク上でトランスポートされるデータコンテンツに影響されやすい。セルラーデータは、存在している弱い信号の長いピリオドに陥りやすく、それは、ゼロの長い連続につながることがある。スクランブラ／デスクランブラは、高データ・レート・リンクにおけるクロックドリフトに対抗するための効果的な技術である。本発明の実施形態は、ホストユニットからリモートユニットへのデジタルリンクを介してデータがトランスポートされた先のリモートユニットにおけるクロックタイミング同期を確実にする効率的かつ効果的な方法を提供する。
【０００５】
[0005]本発明の実施形態は、ホストユニットにおいて伝送されるダウンリンクデータに関するスクランブリングと、次いでリモートユニットにおける受信されたデータに関するデスクランブリングとを実行することに基づくシステムおよび技術を提供する。同様に、スクランブリングおよびデスクランブリングは、リモートユニットとホストユニットとの間においてトランスポートされる伝送されるアップリンクデータに関しても使用される。
【０００６】
[0006]本発明の一実施形態によれば、分散アンテナシステム（ＤＡＳ）においてデータをトランスポートするためのシステムが提供される。このシステムは、少なくとも１つのデジタル・アクセス・ユニット（ＤＡＵ）と、その少なくとも１つのＤＡＵに結合されている複数のデジタル・リモート・ユニット（ＤＲＵ）とを含む。複数のＤＲＵは、それらの複数のＤＲＵと、少なくとも１つのＤＡＵとの間において信号をトランスポートするように動作することができる。少なくとも１つのＤＡＵは、フレーマ、エンコーダ、スクランブラ、およびシリアライザを含むデータ・トランスポート・コーダと、デシリアライザ、デコーダ、デスクランブラ、フレームシンクロナイザ、およびデフレーマを含むデータ・トランスポート・デコーダとを含む。
【０００７】
[0007]本発明の特定の実施形態によれば、分散アンテナシステムにおいてデータをトランスポートするためのシステムが提供される。このシステムは、複数のデジタル・アクセス・ユニット（ＤＡＵ）を含む。複数のＤＡＵは、それらの複数のＤＡＵ同士の間において信号を転送するように結合されて動作することができる。このシステムはまた、複数のＤＡＵに結合されている複数のデジタル・リモート・ユニット（ＤＲＵ）を含み、複数のＤＲＵは、それらの複数のＤＲＵと、複数のＤＡＵとの間において信号をトランスポートするように動作することができる。複数のＤＲＵのそれぞれは、フレーマ、エンコーダ、スクランブラ、およびシリアライザを含むデータ・トランスポート・コーダと、デシリアライザ、デコーダ、デスクランブラ、フレームシンクロナイザ、およびデフレーマを含むデータ・トランスポート・デコーダと、スケジューラ／ディスパッチャとを含む。
【０００８】
[0008]本発明の特定の実施形態によれば、シリアライズされたデータを提供する方法が提供される。この方法は、ペイロードＩ＆Ｑデータを受信するステップと、ＩＰデータを受信するステップとを含む。この方法はまた、ペイロードＩ＆ＱデータおよびＩＰデータをフレーム化するステップと、そのフレームをエンコードするステップとを含む。この方法は、エンコードされたフレームをスクランブルして、スクランブルされたデータを提供するステップと、そのスクランブルされたデータをシリアライズするステップとをさらに含む。
【０００９】
[0009]本発明の別の特定の実施形態によれば、ＲＦデータおよびＩＰデータを伝送する方法が提供される。この方法は、デジタル・アクセス・ユニット（ＤＡＵ）のＲＦポートにおいてＲＦデータを受信するステップと、ＤＡＵのイーサネット（登録商標）ポートにおいてＩＰデータを受信するステップと、ＲＦデータを処理して、デジタルペイロードＩ＆Ｑデータを提供するステップと、デジタルペイロードＩ＆ＱデータおよびＩＰデータをフレーム化して、フレーム化されたデータを提供するステップとを含む。この方法はまた、フレーム化されたデータをエンコードするステップと、エンコードされたデータをスクランブルするステップと、スクランブルされたデータをシリアライズするステップと、シリアライズされたデータを、光ファイバを通じてデジタル・リモート・ユニット（ＤＲＵ）へ伝送するステップとを含む。この方法は、シリアライズされたデータをデシリアライズするステップと、デシリアライズされたデータをデスクランブルするステップと、デスクランブルされたデータに関するフレーム同期を抽出するステップと、デスクランブルされたデータをデコードするステップとをさらに含む。この方法は、デコードされたデータを変換して、ＲＦデータおよびＩＰデータの表示を提供するステップと、ＲＦデータおよびＩＰデータの表示を増幅するステップと、増幅されたＲＦデータおよびＩＰデータを、ＤＲＵに関連付けられているアンテナから伝送するステップとをさらに含む。
【００１０】
[0010]本発明の特定の実施形態によれば、分散アンテナシステムにおいてデータをトランスポートするためのシステムが提供される。このシステムは、複数のデジタル・アクセス・ユニット（ＤＡＵ）を含む。複数のＤＡＵは、それらの複数のＤＡＵ同士の間において信号を転送するように結合され動作することができる。このシステムはまた、複数のＤＡＵに結合されている複数のデジタル・リモート・ユニット（ＤＲＵ）であって、ＤＲＵとＤＡＵとの間において信号をトランスポートするように動作することができる複数のＤＲＵと、フレーマ、エンコーダ、スクランブラ、およびシリアライザを含むデータ・トランスポート・コーダと、デシリアライザ、デコーダ、デスクランブラ、フレームシンクロナイザ、およびデフレーマを含むデータ・トランスポート・デコーダとを含む。
【００１１】
[0011]本発明の別の特定の実施形態によれば、分散アンテナシステムにおいてデータをトランスポートするためのシステムが提供される。このシステムは、複数のデジタル・アクセス・ユニット（ＤＡＵ）を含む。複数のＤＡＵは、それらの複数のＤＡＵ同士の間において信号を転送するように結合されて動作することができる。このシステムはまた、複数のＤＡＵに結合されている複数のデジタル・リモート・ユニット（ＤＲＵ）であって、ＤＲＵとＤＡＵとの間において信号をトランスポートするように動作することができる複数のＤＲＵと、フレーマ、エンコーダ、スクランブラ、およびシリアライザを含むデータ・トランスポート・コーダとを含む。このシステムはまた、デシリアライザ、デコーダ、デスクランブラ、フレームシンクロナイザ、およびデフレーマを含むデータ・トランスポート・デコーダを含む。このシステムは、スケジューラおよびディスパッチャをさらに含む。
【００１２】
[0012]本発明のさらに別の特定の実施形態によれば、分散アンテナシステムにおいてデータをトランスポートするためのシステムが、複数のデジタル・アクセス・ユニット（ＤＡＵ）を含み、それらの複数のＤＡＵは、それらの複数のＤＡＵ同士の間において信号を転送するように結合されて動作することができる。このシステムはまた、複数のＤＡＵに結合されている複数のデジタル・リモート・ユニット（ＤＲＵ）であって、ＤＲＵとＤＡＵとの間において信号をトランスポートするように動作することができる複数のＤＲＵと、複数のベース・トランシーバ・ステーション（ＢＴＳ）とを含む。このシステムはまた、フレーマ、エンコーダ、スクランブラ、およびシリアライザを含むデータ・トランスポート・コーダと、デシリアライザ、デコーダ、デスクランブラ、フレームシンクロナイザ、およびデフレーマを含むデータ・トランスポート・デコーダとを含む。
【発明の効果】
【００１３】
[0013]従来技術に勝る多くの利点が、本発明を介して達成される。例えば、本発明の実施形態は、セルラーデータの伝送において利用される改良されたクロックタイミング同期を提供する。本発明は、メディアを介してセルラーデータをトランスポートする任意の通信システムに適用可能である。いくつかの実施形態においては、ローカル・ホスト・ユニットとリモートユニットとの間において通信リンクが確立される。Ｐｏｗｅｒ  ＰＣ（登録商標）またはＭｉｃｒｏｂｌａｚｅ（登録商標）などのプロセッサを組み込んでいるフィールド・プログラマブル・ゲート・アレイ（ＦＰＧＡ）または特定用途向け集積回路（ＡＳＩＣ）を使用して、リモートユニットとの間でのデータフローをコントロールすることができる。本発明のこれらおよびその他の実施形態が、その利点および特徴のうちの多くとともに、以降の文章および添付の図に関連してさらに詳細に説明されている。
【図面の簡単な説明】
【００１４】
【図１】１つまたは複数のデジタル・アクセス・ユニット（ＤＡＵ）と、１つまたは複数のデジタル・リモート・ユニット（ＤＲＵ）とを含む分散アンテナシステム（ＤＡＳ）を示すブロック図である。
【図２】デジタル・アクセス・ユニット（ＤＡＵ）のブロック図である。
【図３】デジタル・リモート・ユニット（ＤＲＵ）のブロック図である。
【図４】ＤＡＵとＤＲＵとの間において通信するために使用されるデータフレーム構造のマッピングを示す図である。
【図５】デジタル・アクセス・ユニット（ＤＡＵ）ダウンリンク・パスおよびデジタル・リモート・ユニット（ＤＲＵ）アップリンク・パスにおけるコーディング構造のブロック図である。
【図６】デジタル・アクセス・ユニット（ＤＡＵ）アップリンク・パスおよびデジタル・リモート・ユニット（ＤＲＵ）ダウンリンク・パスにおけるコーディング構造のブロック図である。
【図７Ａ】本発明の一実施形態による、フレーム化されたデータのためのスクランブラのブロック図である。
【図７Ｂ】本発明の一実施形態による、フレーム化されたデータのためのデスクランブラのブロック図である。
【図８】本発明の一実施形態による、シリアライズされたデータを提供する方法を示す簡略化されたフローチャートである。
【図９】本発明の一実施形態による、ＲＦデータおよびＩＰデータを伝送する方法を示す簡略化されたフローチャートである。
【発明を実施するための形態】
【００１５】
[0024]分散アンテナシステム（ＤＡＳ）は、基地局リソースの利用の効率的な手段を提供する。ＤＡＳに関連付けられている１つまたは複数の基地局は、基地局ホテルとして一般に知られている中央のロケーションおよび／または施設に配置されることが可能である。ＤＡＳネットワークは、基地局とデジタル・リモート・ユニット（ＤＲＵ）との間におけるインターフェースとして機能する１つまたは複数のデジタル・アクセス・ユニット（ＤＡＵ）を含む。ＤＡＵは、基地局とともに配置されることが可能である。ＤＲＵ同士は、ともにデイジーチェーン接続されること、および／またはスター構成で配置されること、ならびに所与の地理的エリアのためのカバレッジを提供することが可能である。ＤＲＵは、典型的には、高速の光ファイバリンクを採用することによってＤＡＵと接続される。このアプローチは、基地局から、ＤＲＵによってサービス提供されているリモートのロケーションまたはエリアへのＲＦ信号のトランスポートを容易にする。
【００１６】
[0025]図１において示されている実施形態は、本発明の一実施形態による基本的なＤＡＳネットワークアーキテクチャを示しており、基地局とも呼ばれるベース・トランシーバ・ステーション１０８と、複数のＤＲＵ１０１、１０４、および１０６との間におけるデータ・トランスポート・シナリオの一例を提供している。この実施形態においては、ＤＲＵは、特定の地理的エリアにおけるカバレッジを達成するためにスター構成でＤＡＵ１０３に接続されている。
【００１７】
[0026]図１は、１つまたは複数のデジタル・アクセス・ユニット１０３と、１つまたは複数のデジタル・リモート・ユニット１０１／１０４／１０６とを含む分散アンテナシステムの一実施形態のブロック図である。ＤＡＵは、１つまたは複数のベース・トランシーバ・ステーション（ＢＴＳ）１０８へのインターフェースとなる。１つのＤＡＵとともに、Ｎ個までのＤＲＵを利用することができる。ＢＴＳ１０８は、ＲＦ信号を搬送するのに適しているＲＦケーブル１０９によってＤＡＵに結合されている。図１において示されている実施形態においては、ＤＡＵは、光ファイバ１０２／１０５／１０７を使用して１つまたは複数のＤＲＵに接続されている。複数のＤＡＵを含むその他の実施形態においては、それらのＤＡＵ同士は、イーサネット（登録商標）ケーブル、光ファイバ、マイクロウェーブ・ライン・オブ・サイト・リンク、ワイヤレスリンク、衛星リンクなどを介して結合されることが可能である。図１においては光ファイバ１０２／１０５／１０７が示されているが、その他の実施形態においては、１つまたは複数のＤＡＵは、イーサネット（登録商標）ケーブル、マイクロウェーブ・ライン・オブ・サイト・リンク、ワイヤレスリンク、衛星リンクなどを介して複数のＤＲＵに結合される。ＤＡＳアーキテクチャに関連したさらなる説明は、２０１１年８月１６日に出願された米国特許出願第１３／２１１，２４３号（現在の米国特許第８，６８２，３３８号）において提供されており、その開示は、すべての目的からその全体が参照によって本明細書に組み込まれている。
【００１８】
[0027]図２は、本発明の一実施形態による、基地局アプリケーションのためのＤＡＵシステムを示すブロック図である。基地局アプリケーションのためのＤＡＵシステム２０２は、ＲＦ入力／出力信号を受信および送信するＲＦ入力および出力２０３と、光ファイバ２０１Ａ〜２０１Ｆによって示されている光入力および出力ポートとを有する。
【００１９】
[0028]ＤＡＵシステム２０２は、ＦＰＧＡベースのデジタルコンポーネント２０５、ダウンコンバータおよびアップコンバータ・コンポーネント２０４、アナログ／デジタルおよびデジタル／アナログ・コンバータ・コンポーネント２０８、ならびに光レーザおよび検知器コンポーネント２０９という４つのキーコンポーネントを含む。ＦＰＧＡベースのデジタルコンポーネント２０５は、フィールド・プログラマブル・ゲート・アレイ（ＦＰＧＡ）、デジタル信号処理（ＤＳＰ）ユニット、フレーマ／デフレーマ、およびシリアライザ／デシリアライザを含む。ＤＡＵに関連したさらなる説明は、２０１０年４月２６日に出願された米国特許出願第１２／７６７，６６９号（弁理士整理番号９１１７２−８２１４４０（ＤＷ−１０１６ＵＳ）、２０１１年８月１６日に出願された米国特許出願第１３／２１１，２３６号（弁理士整理番号９１１７２−８２１４７０（ＤＷ−１０２２ＵＳ）、２０１１年８月１６日に出願された米国特許出願第１３／２１１，２４７号（弁理士整理番号９１１７２−８２１４７９（ＤＷ−１０２４ＵＳ）、および２０１２年９月４日に出願された米国特許出願第１３／６０２，８１８号（弁理士整理番号９１１７２−８５０９８５（ＤＷ−１０２５ＵＳ）において提供されており、これらはすべて、すべての目的からそれらの全体が参照によって本明細書に組み込まれている。
【００２０】
[0029]図２において示されているように、ＤＡＵ２０２は、クアッド・バンド・デジタル・アクセス・ユニットである（すなわち、複数の帯域で機能しており、それらは、７００ＭＨｚの２０３Ａ、９００ＭＨｚの２０３Ｂ、１９００ＭＨｚの２０３Ｃ、ＡＷＳの２０３Ｄの帯域における送信／受信入力／出力を含むことができる）が、その他の帯域も、本発明の範囲内に含まれる。ＤＡＵは、（典型的には、４つのセクタへの）ＲＦ基地局インターフェースを有することができる。図２において示されているＤＡＵ２０２は、上述の４つのＴｘ／Ｒｘ  ＲＦポートを含んでいるが、より少ないまたはより多くの数のＴｘ／Ｒｘ  ＲＦポートを利用することができる。光インターフェース側（すなわち、図２の右側）では、ＤＡＵは、特定のネットワーク設計に応じてスター構成、デイジーチェーン構成、またはそれらの組合せで、デジタル・リモート・ユニット（ＤＲＵ）とも呼ばれる複数のリモート・ラジオ・ユニット（ＲＲＵ）に接続されている。図２において示されているように、示されている実施形態においては、６つの光ファイバインターフェース２０１Ａ〜２０１Ｆが利用されている。
【００２１】
[0030]図２を参照すると、デュプレックスＲＦ入力／出力ポート２０３ＡにおいてＤＡＵに入るダウンリンクパスＲＦ信号は、ＲＦデュプレクサ２３０によってアップリンク信号から分離されること、ならびにダウンコンバータ／アップコンバータ２０４によって周波数変換されること、アナログ／デジタルコンバータ２３１によってデジタル化されること、およびＦＰＧＡ２０５の一部であるデジタル処理機能２３２によってベースバンドへ変換されることが可能である。図２において示されているその他のデュプレックスＲＦ入力／出力ポートに関しても、同様のコンポーネントが利用される。次いでデータストリームは、フレーマ／デフレーマ２０６においてモニタリング信号およびコントロール信号を用いてＩ／Ｑマップされ、フレーム化される。次いで特定のパラレル・データ・ストリームが、ＳｅｒＤｅｓ２０７においてシリアル・データ・ストリームへ独立して変換され、プラグ脱着可能なＳＦＰ光トランシーバモジュール２０９によって光信号へ変換され、光ファイバ２０１Ａ〜２０１Ｆへ配信される。それらの６つの光ファイバは、シリアル光データストリームを複数のＲＲＵへ配信する。ダウンリンクＲＦパスのその他の３つのセットも、同様に機能する。
【００２２】
[0031]図２を参照すると、上の説明に続いて、ＲＲＵから受信されるアップリンクパス光信号は、光ファイバ２０１Ａ〜２０１Ｆを使用して受信され、ＳｅｒＤｅｓ２０７によってデシリアライズされ、フレーマ／デフレーマ２０６によって脱フレーム化され、デジタル処理機能２３２によってデジタルにアップコンバートされる。次いでデータストリームは、デジタル／アナログコンバータ２３３によってアナログＩＦへ変換され、アップコンバータＵＰＣ１によってアップコンバートされ、次いでＲＦ増幅器２３４によって増幅され、デュプレクサ２３０によってフィルタリングされる。アップリンクＲＦ信号は、アップリンクＲＦポート２０３Ａにおいて基地局に入る。イーサネット（登録商標）ルータ２４２への供給を行うＣＰＵ２４０は、別々のアプリケーションのために別々のイーサネット（登録商標）ポート（リモートおよびＡＵＸ）を提供する。
【００２３】
[0032]図３は、本発明の一実施形態によるデジタル・リモート・ユニット（ＤＲＵ）システムを示すブロック図である。ＤＲＵシステム３００では、図２において示されているＤＡＵと通信するためのファイバ１および／またはファイバ２のうちの１つまたは複数、ならびに、ＲＦアンテナ（Ｔｘ／Ｒｘ  ＡＮＴ）によって送信および受信されるＲＦ信号を送信および受信するように機能することができる双方向のＲＦポート３２０の上で双方向の光信号が搬送される。ＤＲＵシステムは、ＦＰＧＡベースのデジタルコンポーネント３１２、ダウンコンバータ３１３およびアップコンバータ３１４、アナログ／デジタル（３０８）およびデジタル／アナログコンバータ（３０９）（３２１としてラベル付けされているグループ）、スモール・フォーム・ファクタ・プラガブル（ＳＦＰ）モジュールＳＦＰ１およびＳＦＰ２を含む光レーザおよび検知器コンポーネント、ならびに電力増幅器コンポーネント３１８という４つのキーコンポーネントを含み、これらについては、以降でさらに十分に説明する。
【００２４】
[0033]図３は、１つの結合されたダウンリンク／アップリンク・アンテナ・ポート３２０を伴う、デジタル・リモート・ユニットとも呼ばれるシングルバンドリモート無線ヘッドユニットを示している。その他の実施形態においては、例えば、８５０ＭＨｚ、１９００ＭＨｚなどで動作するダウンリンク／アップリンク・アンテナ・ポートとともに、マルチバンドＤＲＵが利用される。図３を参照すると、ＳＦＰ１  ３０１に接続されているファイバ１は、（基地局および）ホストユニットのロケーションとリモート無線ヘッドユニットとの間においてデータをトランスポートする高速ファイバケーブルである。ファイバ２を使用して、その他のリモート無線ヘッドユニットをデイジーチェーン接続することができ、それによってそれらのリモート無線ヘッドユニットは、基地局またはＤＡＵに相互接続される。ソフトウェアによって定義されるデジタルプラットフォーム３１２は、ＦＰＧＡと呼ばれることもあり、ベースバンド信号処理を、典型的にはＦＰＧＡまたは同等物において実行する。ＦＰＧＡは、シリアライザ／デシリアライザ３０３を含む。デシリアライザ部分は、シリアル入力ビットストリームを光ファイバトランシーバ３０１から抽出し、それをパラレル・ビット・ストリームへと変換する。シリアライザ部分は、リモート無線ヘッドユニットから基地局へデータを送信するために逆のオペレーションを実行する。一実施形態においては、２つの別個のビットストリームが、１つのファイバを介して別々の光波長を使用して基地局と通信するが、代替構成においては、複数のファイバを使用することもできる。ＤＳＰユニット３０４は、フレーマ／デフレーマを含み、フレーマ／デフレーマは、入ってくるビットストリームの構造を解読し、脱フレーム化されたデータを、ＤＳＰユニット３０４のコンポーネントであるクレスト・ファクタ・リダクション・アルゴリズム・モジュールへ送信する。クレスト・ファクタ・リダクション・アルゴリズム・モジュールは、入ってくる信号のピーク対平均比を低減して、電力増幅器のＤＣ対ＲＦ変換効率を改善する。次いで波形が、ＤＳＰ３０４においてデジタル・プリディストータ・ブロックに提示される。デジタルプリディストータは、適応フィードバックループにおいて電力増幅器３１８の非線形性を補償する。電力増幅器からのダウンリンクＲＦ信号が、デュプレクサ３１７に供給され、次いでアンテナポート３２０へ転送される。
【００２５】
[0034]デジタルアップコンバータ３１４は、脱フレーム化された信号をフィルタリングして、ＩＦ周波数へデジタル変換する。デジタル／アナログコンバータ３０９は、Ｄ／Ａ変換を実行し、ＩＦ信号をアップコンバータ３１４へと供給する。ＤＳＰユニット３０４のフレーマは、デジタルダウンコンバータ３０５からデータを受け、そのデータを、光ファイバトランシーバ３０１を介してＢＴＳへ伝送するためにフレームへとパックする。アナログ／デジタルコンバータ３０８は、アナログＲＦアップリンク信号をデジタル信号へと変換するために使用される。受信機はまた、ダウンコンバータ３１３を含む。
【００２６】
[0035]イーサネット（登録商標）ケーブルは、ギガビット・イーサネット（登録商標）・スイッチ３１０に接続されることが可能であり、ギガビット・イーサネット（登録商標）・スイッチ３１０は、ＣＰＵ３１１に結合され、ＤＲＵとローカルに通信するために使用される。
【００２７】
[0036]図４は、ＤＡＵとＤＲＵとの間においてトランスポートされるデータのためのフレーム構造の一実施形態を示している。このデータフレーム構造は、ＳＹＮＣ部分４０１、ベンダー固有情報部分４０２、制御および管理（Ｃ＆Ｍ）部分４０３、ペイロードデータ部分４０４、およびＩＰデータ部分４０５という５つの部分または要素を含む。ＳＹＮＣ部分４０１は、トランスポートされるデータのクロックを同期化するために受信機において使用される。ベンダー固有情報部分４０２は、個々のベンダー情報を識別するために割り当てられ、これは、情報に関連付けられているＩＰアドレス、および特定のベンダー（例えば、ワイヤレスキャリア）に固有であることが可能であるその他の情報を含むことができる。制御および管理部分４０３は、リモートユニットをモニタおよびコントロールするために、ならびにソフトウェアアップグレードを実行するために使用される。コントロール信号を伴うネットワークコントロール情報およびパフォーマンスモニタリングは、Ｃ＆Ｍ部分４０３内に含めて伝送されることが可能である。ペイロードＩ／Ｑデータ部分４０４は、ＢＴＳ１０８からの、またはＲＦアンテナポート３２０からのセルラー・ベースバンド・データを含む。ＩＰデータ４０５は、ＤＡＵとＤＲＵとの間において伝送するためにペイロードＩ／Ｑデータとともにフレーム化される。ＩＰデータは、イーサネット（登録商標）ルータ２４２を通る、またはイーサネット（登録商標）スイッチ３１０を通るＩＰトラフィックを含むことができる。フレーム化されたデータは、図５において示されているように、最終的にはスクランブル／デスクランブルされる。ＩＰデータをセルラーデータとともにフレーム化することは、両方のタイプのデータが、アップストリームパスまたはダウンストリームパスにおけるシステムを通じてトランスポートされることを可能とする。
【００２８】
[0037]図５は、複数の入力からの、ペイロードＩ／Ｑデータを含むトランスポートされるデータのコーディング構造のブロック図を示している。図５は、図４において示されているデータフレーム構造の部分がどのようにして生成されるかを示しており、ＤＡＵダウンリンクパスおよびＤＲＵアップリンクパス用にデータをどのようにしてコーディングすることができるかを示している。したがって、図５において示されている処理は、ダウンリンクパス用にはＤＡＵにおいて、およびアップリンクパス用にはＤＲＵにおいて生じる。
【００２９】
[0038]スケジューラおよびスイッチ５０８、エラーエンコーディング５０９、Ｓｙｎｃ５１４、Ｃ＆Ｍ５１５、およびベンダー固有情報５１６が、フレーマ５１０への入力として提供される。複数の入力ポート（ペイロードＩ＆Ｑデータ５０１、５０２、５０３、５０４、５０５、および５０６）からのペイロードデータ（すなわち、生のＩ＆Ｑデータ）、ならびにＩＰネットワークトラフィック（ネットワークＩＰトラフィック５０７）がバッファされて、スケジューラ＆スイッチ５０８へ配信される。スケジューラ＆スイッチ５０８は、フレーマ５１０のためにＩＰネットワークトラフィックとともにさまざまなポートからのバッファされたペイロードデータを順に並べる。スケジューラは、ポート同士の間における公平性を確保するための、および割り当てられたリソースを分配するためのアルゴリズムを利用する。スケジューラはまた、ポートのうちのどれにリソースが割り当てられるかを決定する。一例として、ＩＰネットワークデータ５０７は、さまざまなポートからのペイロードデータ５０１〜５０６と比較して、より低い優先度を割り当てられることが可能である。
【００３０】
[0039]エラーエンコーダ５０９は、ＤＡＵからＤＲＵへのデータトランスポーテーション中にエラーが生じないことを確実にするために、トランスポートされたデータの巡回冗長検査のエンコーディングを実行する。フレーム化されたデータは、スクランブラ５１２を使用してスクランブルされてからシリアライザ５１３へ送信される。スクランブラ５１２によって提供される機能の１つは、良好なフレームタイミング同期を確実にするために、例えばセルラーデータにおいて、０および１の長い連続を除去することである。使用とともに変動し、０または１の長い連続に陥りやすいことがある複数のポートからのダウンリンク・セルラー・データを含むペイロードＩ＆Ｑデータによって提示される問題を、この機能は改善する。したがって、本発明の実施形態は、スクランブリングをフレーム化プロセスの一環として統合して、システムパフォーマンス、特にフレーム同期を改善する。図４において示されているように、データのフレーム化は、２つの異なるタイプのデータの分離と、別々の要素へのそのような分離を通じて提供される付随するセキュリティーとを提供するために、フレームの別々の要素としてのペイロードＩ＆Ｑデータ４０４およびＩＰデータ４０５の分離を提供する。フレーム化およびエンコーディングの後に、フレーム同期を改善するために、図４において示されているフレームのスクランブリングが実行される。
【００３１】
[0040]図２を参照すると、図５において示されている機能ブロックと、ＦＰＧＡ２０５のモジュールとの間における対応は、下記のとおりである。ペイロードＩ＆Ｑデータ５０１〜５０６は、ＤＳＰ２３２、２５２、２５４、および２５６の出力として提供される。ネットワークＩＰトラフィック５０７は、イーサネット（登録商標）ルータ２４２の出力として提供される。このデータおよびトラフィックは、スケジューラおよびスイッチ５０８、スクランブラ５１２、およびそれらの間の機能ユニット（エラーエンコーダ５０９、フレーマ５１０、およびエンコーダ５１１を含む）によって提供される機能を含む、フレーマ／デフレーマ２０６を含む、ＦＰＧＡ２０５のさまざまなモジュールによって処理される。図２におけるシリアライザ／デシリアライザモジュール（ＳｅｒＤｅｓ）２０７は、図５におけるシリアライザ５１３に対応する。明確にする目的で、ＤＳＰ２３２、２５２、２５４、および２５６からフレーマ／デフレーマ２０６およびＳｅｒＤｅｓ２０７へのデータフローは、図２においては示されていないが、当業者にとっては明らかであろう。
【００３２】
[0041]図６は、トランスポートされたデータのデコーディング構造のブロック図を示している。図６においては、アップリンクパスにおけるＤＡＵのための、およびダウンリンクパスにおけるＤＲＵのためのデータのデコーディングが示されている。ＤＡＵは、リモートユニットからのアップリンクデータを受信する。次いで、シリアライズされたデータは、下記のモジュールにおいて下記の処理ステップを経る。すなわち、デシリアライザ６１４、デスクランブラ６１２、フレーム同期６１１、デコーダ６１３、デフレーマ６１０、その後に、データをさまざまな出力ポートへディスパッチすること６０８が続く。脱フレーム化されたデータは、Ｃ＆Ｍ６１５データ、ベンダー情報データ６１６、エラー・チェック・デコーディング６０９、およびペイロードＩ＆Ｑデータへと分解される。ディスパッチ６０８は、スケジュールされたペイロードデータをさまざまなポートへ転送する。デスクランブラは、スクランブラ５１１にとって逆のオペレーションを実行する。
【００３３】
[0042]図３を参照すると、図６において示されている機能の要素は、ＦＰＧＡ３１２によって提供される機能に対応する。デコーダ６１３、デスクランブラ６１２、フレームシンクロナイザ６１１、デフレーマ６１０、エラーチェック６０９、およびディスパッチ６０８の機能を含む機能は、アップリンクパスが利用されるか、またはダウンリンクパスが利用されるかに応じて、ＳｅｒＤｅｓ３０３／３０７とＤＤＣ３０５／ＤＵＣ３０６との間に配置されているＤＳＰ３０４によって実行される。
【００３４】
[0043]図２および図５と、図３および図６との両方に対する関係において、さまざまな処理モジュールによって実行される機能は、必要に応じて、その他のモジュールへシフトされることが可能である。例えば、図２において示されているフレーマ／デフレーマ２０６の機能のうちのいくつかまたはすべては、ＤＳＰ２３２、２５２、２５４、および２５６によって実施されることが可能である。当技術分野における標準的な技術者なら、多くの変形形態、修正形態、および代替形態を認識するであろう。
【００３５】
[0044]図７Ａは、１＋Ｘ３９＋Ｘ５８というスクランブリング関数を表すスクランブラ７０１のブロック図を示している。図７Ａおよび図７ＢにおけるＳ＃ブロック７０２／７０５は、シフトレジスタである。図７Ｂは、このスクランブリング関数に関する対応するデスクランブラ７０４を示している。スクランブリング／デスクランブリングオペレーションは、加算器７０３において受信された信号を、３９個の前のクロックサイクルからの信号および５８個の前のクロックサイクルからの信号と合計する（すなわち、２進加算）。３９および５８以外の他の特定の数のクロックサイクルを、本発明の実施形態に従って利用することもできる。
【００３６】
[0045]セルラー・トラフィック・ロードは、時刻、アクティブユーザの数、およびその他の多くの要因に応じて変動する。アクティブでない期間は、さまざまなデータペイロードに関する弱い信号強度をもたらすことになる。これらの弱い信号は、ペイロードデータに関するゼロの長い連続をもたらすことがある。これは、セルラー信号の高データ・レート・トランスポートに関する問題を引き起こす。とりわけ、ゼロの長い連続を伴うと、受信機におけるフレーム同期を保持することが非常に困難になる。スクランブラ／デスクランブラは、これらの影響を軽減するための効果的な技術である。なぜなら、０とともに１をデータストリーム内に注入し、次いでそれらの１が、受信側におけるデスクランブラによって除去されるからである。図４および図５を参照すると、ペイロードＩ＆ＱデータならびにＩＰデータは、スクランブルされてから、シリアライザに渡される。
【００３７】
[0046]図５および図６において示されている特定の処理ステップは、本発明の特定の実施形態を提供しているということを理解されたい。代替実施形態によれば、ステップのその他のシーケンスを実行することもできる。例えば、本発明の代替実施形態は、上で概説されているステップを異なる順序で実行することができる。さらに、特定の用途に応じて、さらなるステップを加えること、またはステップを除去することが可能である。当技術分野における標準的な技術者であれば、多くの変形形態、修正形態、および代替形態を認識するであろう。
【００３８】
[0047]図８は、本発明の一実施形態による、シリアライズされたデータを提供する方法を示す簡略化されたフローチャートである。この方法は、ペイロードＩ＆Ｑデータを受信するステップ（８１０）と、ＩＰデータを受信するステップ（８１２）とを含む。ペイロードＩ＆Ｑデータは、ＤＡＵまたはＤＲＵにおいて受信されたＲＦセルラートラフィックに基づいて計算することができる。この方法はまた、ペイロードＩ＆ＱデータおよびＩＰデータをフレーム化するステップ（８１４）と、そのフレームをエンコードするステップ（８１６）とを含む。互いに独立していることが可能であるペイロードＩ＆ＱデータおよびＩＰデータをフレーム化するステップは、セキュリティーおよびその他の利点を提供するために、フレームの独立した要素を利用して、フレームの別々の領域において別々の種類のデータを保持することができる。この方法は、エンコードされたフレームをスクランブルして、スクランブルされたデータを提供するステップ（８１８）と、スクランブルされたデータをシリアライズするステップ（８２０）とをさらに含む。
【００３９】
[0048]特定の実施形態においては、この方法はまた、シリアライズされたデータを、例えばＤＲＵにおいて受信するステップと、シリアライズされたデータをデシリアライズするステップと、デシリアライズされたデータをデスクランブルするステップと、フレーム同期情報を特定するステップと、デスクランブルされたデータをデコードするステップとを含む。この方法は、同期化およびデコードされたデータを脱フレーム化するステップをさらに含む。したがって、この方法は、ペイロードＩ＆ＱデータおよびＩＰデータを提供するステップを含むことができ、そのペイロードＩ＆ＱデータおよびＩＰデータは、図６において示されているようにディスパッチされることが可能である。
【００４０】
[0049]図８において示されている特定のステップは、本発明の一実施形態による、シリアライズされたデータを提供する特定の方法を提供しているということを理解されたい。代替実施形態によれば、ステップのその他のシーケンスを実行することもできる。例えば、本発明の代替実施形態は、上で概説されているステップを異なる順序で実行することができる。その上、図８において示されている個々のステップは、その個々のステップにとって適切なものとしてさまざまなシーケンスで実行することができる複数のサブステップを含むことができる。さらに、特定の用途に応じて、さらなるステップを加えること、またはステップを除去することが可能である。当技術分野における標準的な技術者であれば、多くの変形形態、修正形態、および代替形態を認識するであろう。
【００４１】
[0050]図９は、本発明の一実施形態による、ＲＦデータおよびＩＰデータを伝送する方法を示す簡略化されたフローチャートである。この方法は、デジタル・アクセス・ユニット（ＤＡＵ）のＲＦポートにおいてＲＦデータを受信するステップ（９１０）と、ＤＡＵのイーサネット（登録商標）ポートにおいてＩＰデータを受信するステップ（９１２）と、ＲＦデータを処理してデジタルペイロードＩ＆Ｑデータを提供するステップ（９１４）とを含む。ＲＦデータは、アナログＲＦデータ、セルラーデータなどを含むことができる。ＩＰデータは、ＲＦデータから独立していることが可能である。この方法はまた、デジタルペイロードＩ＆ＱデータおよびＩＰデータをフレーム化して、フレーム化されたデータを提供するステップ（９１６）と、フレーム化されたデータをエンコードするステップ（９１８）と、エンコードされたデータをスクランブルするステップ（９２０）と、スクランブルされたデータをシリアライズするステップ（９２２）と、シリアライズされたデータを、光ファイバを通じてデジタル・リモート・ユニット（ＤＲＵ）へ伝送するステップ（９２４）とを含む。図４において示されているように、いくつかの実施形態においては、ペイロードＩ＆ＱデータおよびＩＰデータは、フレーム化されたデータの別々の要素としてフレーム化される。
【００４２】
[0051]ＤＲＵにおいては、この方法は、シリアライズされたデータをデシリアライズするステップ（９２６）と、デシリアライズされたデータをデスクランブルするステップ（９２８）と、デスクランブルされたデータをデコードするステップ（９３０）とを含む。いくつかの実施形態においては、図６において示されているように、デスクランブルされたデータのデコーディング（９３０）の前にフレーム同期情報が抽出される（９３２）。その他の実施形態においては、この方法は、デコードされたデータに関するフレーム同期を抽出するステップ（９３２）と、デコードされたデータを変換して、ＲＦデータおよびＩＰデータの表示を提供するステップ（９３４）と、ＲＦデータおよびＩＰデータの表示を増幅するステップ（９３６）と、ＤＲＵに関連付けられているアンテナから、増幅されたＲＦデータおよびＩＰデータを伝送するステップとをさらに含む。図３を参照すると、デコードされたデータの変換は、ＤＡＣ３０９によって示されているようなデジタルからアナログへの変換プロセスと、アップコンバータ３１４によるアップコンバージョンとを含むことができる。
【００４３】
[0052]図９において示されている特定のステップは、本発明の一実施形態による、ＲＦデータおよびＩＰデータを伝送する特定の方法を提供しているということを理解されたい。代替実施形態によれば、ステップのその他のシーケンスを実行することもできる。例えば、本発明の代替実施形態は、上で概説されているステップを異なる順序で実行することができる。その上、図９において示されている個々のステップは、その個々のステップにとって適切なものとしてさまざまなシーケンスで実行することができる複数のサブステップを含むことができる。さらに、特定の用途に応じて、さらなるステップを加えること、またはステップを除去することが可能である。当技術分野における標準的な技術者であれば、多くの変形形態、修正形態、および代替形態を認識するであろう。
【００４４】
[0053]本明細書において説明されている例および実施形態は、例示を目的としたものにすぎず、それに照らしたさまざまな修正または変更は、当業者にとって示唆されるであろうし、本出願の趣旨および範囲、ならびに添付の特許請求の範囲の範疇内に含まれることになることも理解される。
【００４５】
[0054]付録Ｉは、頭字語を含む、本明細書において使用されている用語の用語集である。
【００４６】
付録Ｉ
用語集
ＡＣＬＲ  隣接チャネル漏洩比
ＡＣＰＲ  隣接チャネル電力比
ＡＤＣ  アナログ／デジタルコンバータ
ＡＱＤＭ  アナログ直交復調器
ＡＱＭ  アナログ直交変調器
ＡＱＤＭＣ  アナログ直交復調器コレクタ
ＡＱＭＣ  アナログ直交変調器コレクタ
ＢＰＦ  バンドパスフィルタ
ＣＤＭＡ  符号分割多元接続
ＣＦＲ  クレスト・ファクタ・リダクション
ＤＡＣ  デジタル／アナログコンバータ
ＤＥＴ  検知器
ＤＨＭＰＡ  デジタル・ハイブリッド・モード電力増幅器
ＤＤＣ  デジタル・ダウン・コンバータ
ＤＮＣ  ダウンコンバータ
ＤＰＡ  ドハティ電力増幅器
ＤＱＤＭ  デジタル直交復調器
ＤＱＭ  デジタル直交変調器
ＤＳＰ  デジタル信号処理
ＤＵＣ  デジタル・アップ・コンバータ
ＥＥＲ  エンベロープ除去および復元
ＥＦ  エンベロープ追従
ＥＴ  エンベロープトラッキング
ＥＶＭ  エラーベクトル振幅
ＦＦＬＰＡ  フィードフォワードリニア電力増幅器
ＦＩＲ  有限インパルス応答
ＦＰＧＡ  フィールド・プログラマブル・ゲート・アレイ
ＧＳＭ（登録商標）  グローバル・システム・フォー・モバイル・コミュニケーションズ
Ｉ−Ｑ  同相／直交
ＩＦ  中間周波数
ＬＩＮＣ  非線形素子を用いた線形増幅
ＬＯ  ローカルオシレータ
ＬＰＦ  ロー・パス・フィルタ
ＭＣＰＡ  マルチキャリア電力増幅器
ＭＤＳ  多方向検索
ＯＦＤＭ  直交周波数分割多重化
ＰＡ  電力増幅器
ＰＡＰＲ  ピーク対平均電力比
ＰＤ  デジタル・ベースバンド・プリディストーション
ＰＬＬ  位相同期ループ
ＱＡＭ  直交振幅変調
ＱＰＳＫ  直交位相シフトキーイング
ＲＦ  無線周波数
ＲＲＨ  リモート無線ヘッド
ＲＲＵ  リモート無線ヘッドユニット
ＳＡＷ  弾性表面波フィルタ
ＵＭＴＳ  ユニバーサル・モバイル・テレコミュニケーションズ・システム
ＵＰＣ  アップコンバータ
ＷＣＤＭＡ（登録商標）  ワイドバンド符号分割多元接続
ＷＬＡＮ  ワイヤレス・ローカル・エリア・ネットワーク
【図７Ａ】
2017504257.tif 000003
【図７Ｂ】
2017504257.tif 000004
【図１】
2017504257.tif 000005
【図２】
2017504257.tif 000006
【図３】
2017504257.tif 000007
【図４】
2017504257.tif 000008
【図５】
2017504257.tif 000009
【図６】
2017504257.tif 000010
【図８】
2017504257.tif 000011
【図９】
2017504257.tif 000012
【国際調査報告】
2017504257.tif 000013